(57)【特許請求の範囲】
【請求項１】
被記録面を有する被記録媒体を前記被記録面とは反対側から支持しつつ重力方向側に排出する媒体排出部と、
前記媒体排出部から重力方向側に離れた位置に傾斜して設けられ、前記媒体排出部から排出される前記被記録媒体における排出方向の先端縁側部位を受ける媒体受け面と、を備え、
前記媒体排出部から排出された前記被記録媒体が、その排出方向の先端縁を前記媒体受け面に接触させたのち、前記被記録面と前記媒体受け面とが対向する状態に湾曲した湾曲部を形成しつつ前記媒体受け面に沿って重力方向側に移動して前記先端縁側部位が前記媒体受け面に受けられる被記録媒体排出装置であって、
前記媒体受け面に前記被記録媒体を受けた場合に当該被記録媒体の前記先端縁が位置する側とは反対側の前記媒体受け面の端部に、前記媒体受け面の延長面よりも鉛直方向の反重力方向側に突出するように設けられ、前記被記録媒体の後端縁側部位が前記媒体排出部から排出される際に、前記被記録媒体の湾曲部における前記被記録面に当接して、前記湾曲部の曲率半径を大きくする方向に前記後端縁側部位を移動させるガイド部と、
前記媒体受け面とは水平方向において別位置に設けられ、前記媒体受け面により前記先端縁側部位が受けられた状態にある前記被記録媒体における後端縁側部位を受けるとともに、水平方向において前記媒体受け面から遠い側に当該媒体受け面から離れるにつれて反重力方向側に上昇する傾斜面を有する補助媒体受け面と、を備え、
前記媒体受け面の受け面形成部材と前記補助媒体受け面の受け面形成部材とは、材料が繋がった一枚のシート材料で形成され、
前記被記録媒体が排出される際に、前記媒体受け面に排出される前記後端縁側部位の長さが同じ長さになるように、前記被記録媒体の排出方向の長さに応じて、前記媒体受け面で受ける前記被記録媒体の先端縁側部位の前記媒体受け面に沿う長さを変更する媒体受け面長さ変更手段を備えることを特徴とする被記録媒体排出装置。
【請求項２】
請求項１に記載の被記録媒体排出装置において、
前記媒体受け面長さ変更手段は、前記媒体受け面の受け面形成部材に設けられたスリットに挿入され、前記被記録媒体の前記先端縁と当接して前記被記録媒体の移動を規制することを特徴とする被記録媒体排出装置。
【請求項３】
被記録媒体に対して媒体排出部から排出される前に前記被記録媒体の被記録面に液体を噴射して記録を施す記録部と、
請求項１または２に記載の被記録媒体排出装置と、
を備える記録装置。
【発明の詳細な説明】
【技術分野】
【０００１】
本発明は、記録が施される被記録媒体を排出する被記録媒体排出装置およびこの被記録媒体排出装置を備えた記録装置に関する。
【背景技術】
【０００２】
従来から、記録装置の一種として、ロール状に巻かれた状態から巻き出されて記録部を通過するように搬送される被記録媒体に対して、記録部に備えられた記録ヘッドから液体を噴射して記録を施したのち、その被記録媒体を所定の長さに切断して排出するインクジェット式のプリンターが広く知られている。この種のプリンターは、例えば特許文献１に開示されているように、通常、大型プリンターであり、鉛直方向上側に被記録媒体に対して記録を施す印刷部（記録部）を有するプリンター本体（装置本体）と、その下側に装置本体と離れて配設された排紙スタック部（媒体受け面）とを備えている。
【０００３】
このような大型プリンターでは、同じく特許文献１に開示されたように、作業性や水平方向における省スペース化のため、装置本体において搬送される被記録媒体の搬送方向を水平方向に対して傾斜させるとともに、搬送方向の下流側において記録後の被記録媒体を媒体受け面に向けて排出する媒体支持面が、搬送方向と同様に傾斜して設けられている。そして、記録が施された後に切断された被記録媒体については、傾斜する媒体支持面に沿って移動（落下）させることにより装置本体から排出する際に、その排出方向の先端縁を、媒体受け面によって接触して受け止めるとともに、その被記録媒体において記録が施された被記録面を媒体受け面と対向させるように湾曲させている。この湾曲によって被記録媒体の排出方向の先端縁側部位は媒体受け面に沿って移動して、被記録面が下側になるフェイスダウン状態で媒体受け面上に排出される。
【０００４】
なお、被記録媒体は、被記録面側が凸面となるように湾曲しながら排出方向の先端縁側部位が媒体受け面上に排出された後に所定の長さに切断され、その後、装置本体から排出方向の後端縁側部位も排出される。このとき、被記録媒体は、その後端縁側部位が媒体受け面上において先端縁側部位と重ならないように、先端縁側部位と後端縁側部位との間で形成される湾曲部の曲げ戻りを利用して後端縁側部位が湾曲部の曲げ形状を解消する方向に変位する。
【先行技術文献】
【特許文献】
【０００５】
【特許文献１】特開２０００−７１５３５号公報
【発明の概要】
【発明が解決しようとする課題】
【０００６】
しかしながら、特許文献１に開示された大型プリンターにおいて、被記録媒体は被記録面を媒体受け面と対向させるように湾曲して媒体受け面に排出される際に、形成された湾曲部が、被記録媒体の腰の強さや排出方向のばらつきなどによって潰れて曲率半径が小さくなる場合がある。この場合、曲率半径が小さい湾曲部は曲げ戻し力が弱いため、後端縁側部位の排出時において、被記録媒体の後端縁側部位の排出方向を先端縁側部位と重ならないように媒体受け面から離れる方向に移動させることができなくなる。この結果、被記録媒体を媒体受け面上に適切に排出させることができないことになる。
【０００７】
本発明は、上記課題を解決するためになされたものであり、その主な目的は、被記録媒体が媒体受け面上に適切に排出される被記録媒体排出装置及びこの被記録媒体排出装置を備えた記録装置を提供することにある。
【課題を解決するための手段】
【０００８】
上記目的を達成するために、本発明の被記録媒体排出装置は、被記録面を有する被記録媒体を前記被記録面とは反対側から支持しつつ重力方向側に排出する媒体排出部と、前記媒体排出部から重力方向側に離れた位置に傾斜して設けられ、前記媒体排出部から排出される前記被記録媒体における排出方向の先端縁側部位を受ける媒体受け面と、を備え、前記媒体排出部から排出された前記被記録媒体が、その排出方向の先端縁を前記媒体受け面に接触させたのち、前記被記録面と前記媒体受け面とが対向する状態に湾曲した湾曲部を形成しつつ前記媒体受け面に沿って重力方向側に移動して前記先端縁側部位が前記媒体受け面に受けられる被記録媒体排出装置であって、前記媒体受け面に前記被記録媒体を受けた場合に当該被記録媒体の前記先端縁が位置する側とは反対側の前記媒体受け面の端部に、前記媒体受け面の延長面よりも鉛直方向の反重力方向側に突出するように設けられ、前記被記録媒体の後端縁側部位が前記媒体排出部から排出される際に、前記被記録媒体の湾曲部における前記被記録面に当接して、前記湾曲部の曲率半径を大きくする方向に前記後端縁側部位を移動させるガイド部を備える。
【０００９】
この構成によれば、被記録面を媒体受け面と対向する下側（フェイスダウン）にして排出する際に形成される湾曲部における被記録面にガイド部が当接して、被記録媒体における後端縁側部位の排出に際して湾曲部が潰れないように保持される。この保持された被記録媒体の湾曲部の曲がりが戻る変位動作によって後端縁側部位の排出方向が媒体受け面から離れる方向に移動する。そのため、被記録媒体は、その先端縁側部位が媒体受け面に被記録面を対向させた状態で受けられる一方、その後端縁側部位が媒体受け面に排出されることが抑制される。従って、被記録媒体を、その後端縁側部位が先端縁側部位に重ならないようにして、媒体受け面上に適切に排出させることができる。
【００１０】
本発明の被記録媒体排出装置において、前記媒体受け面とは水平方向において別位置に設けられ、前記媒体受け面により前記先端縁側部位が受けられた状態にある前記被記録媒体における後端縁側部位を受けるとともに、水平方向において前記媒体受け面から遠い側に当該媒体受け面から離れるにつれて反重力方向側に上昇する傾斜面を有する補助媒体受け面を備える。
【００１１】
この構成によれば、排出される被記録媒体の後端縁側部位が先端縁側部位を受けている媒体受け面から離れるように移動する際に先端縁側部位を媒体受け面側から補助媒体受け面側に引き込まないように、その後端縁側部位の移動を反重力方向側に上昇する傾斜面で抑制することができる。従って、被記録媒体を媒体受け面上に適切に排出させることができる。
【００１２】
本発明の被記録媒体排出装置において、前記ガイド部は、前記媒体受け面の延長面よりも鉛直方向の反重力方向側に突出する円筒形状の突出面を有する。
この構成によれば、ガイド部は、媒体受け面から反重力方向に突出する突出面を被記録媒体の湾曲部に当接させるので、被記録媒体の湾曲部を潰すことなく突出面の円筒形状に沿って逆方向に湾曲させることができる。この結果、後端縁側部位の排出時において、被記録媒体のこの逆方向への湾曲を利用して後端縁側部位の排出方向を先端縁側部位と重ならないように媒体受け面から離れる方向に移動させることができる。
【００１３】
本発明の被記録媒体排出装置において、前記被記録媒体が排出される際の前記被記録媒体の排出方向の長さに応じて、前記媒体受け面で受ける前記被記録媒体の先端縁側部位の前記媒体受け面に沿う長さを変更する媒体受け面長さ変更手段を備える。
【００１４】
この構成によれば、排出される被記録媒体の排出方向の長さが変化しても、媒体受け面から離れるように移動する後端縁側部位の排出方向に沿う長さを同じ長さにすることができる。従って、被記録媒体の湾曲部の曲がりが戻る変位動作によって後端縁側部位の排出方向が媒体受け面から離れる方向に移動させる場合の移動態様を変らないようにすることができるので、排出される被記録媒体の長さが変化しても、安定して後端縁側部位を媒体先端部受け部から離れるように移動させることができる。
【００１５】
本発明の記録装置は、被記録媒体に対して媒体排出部から排出される前に前記被記録媒体の被記録面に液体を噴射して記録を施す記録部と、上記構成の被記録媒体排出装置と、を備える。
【００１６】
この構成によれば、被記録媒体の被記録面に記録を施すとともに、被記録面を媒体受け面と対向する下側（フェイスダウン）にして被記録媒体を排出する際に、その後端縁側部位が先端縁側部位に重ならないようにして、媒体受け面上に適切に排出させる記録装置を提供することができる。
【図面の簡単な説明】
【００１７】
【図１】本発明に係る実施形態の記録装置の概略構成を一部断面で示す側面図。
【図２】実施形態の被記録媒体排出装置において、媒体受け面の構成を示す斜視図。
【図３】ガイド部を備えない場合の被記録媒体排出装置の図で、（ａ）はカットシートの後端縁側部位が排出されるときの状態図、（ｂ）はカットシートの後端縁側部位が媒体受け面から離れるように排出されたときの状態図。
【図４】ガイド部を備えた場合の被記録媒体排出装置の図で、（ａ）はカットシートの後端縁側部位が排出されるときの状態図、（ｂ）はカットシートの後端縁側部位が媒体受け面から離れるように排出されたときの状態図。
【図５】排出方向の長さが短いカットシートが排出されたときの状態図。
【図６】媒体受け面長さ変更手段がカットシートの先端縁を規制する状態図。
【図７】媒体受け面長さ変更手段の変形例を示す構造図。
【発明を実施するための形態】
【００１８】
以下、本発明を具体化した一実施形態である記録装置について図を参照して説明する。
本実施形態の記録装置は、液体の一例としてのインクを噴射する液体噴射ヘッドを記録ヘッドとして有し、ロール状に巻かれたロール紙から給送される長尺の被記録媒体としてのシート（例えば用紙）の被記録面に対して、記録ヘッドからインクを噴射して画像を記録する装置である。
【００１９】
図１に示すように、記録装置１１は、シートＳＴの被記録面ＳＰに記録を施したのちシートＳＴを切断してカットシートＣＳとして排出する装置本体部１２と、その鉛直方向の重力方向側となる下方に、排出されるカットシートＣＳを受ける媒体受け面８２，８３とを有する媒体受け部１８と、を備えている。媒体受け部１８は、装置本体部１２から排出される複数枚のカットシートＣＳを、その被記録面ＳＰを媒体受け面８２，８３と対向するように下方側にして積み重ねた状態で受けることでスタックする。装置本体部１２は、シートＳＴの排出方向と交差するシートＳＴの幅方向を長手方向とした略直方体形状を有し、装置本体部１２の長手方向の両側端部に設けられた板状の結合部材１９によって媒体受け部１８の基台部８１と連結固定されている。基台部８１は、記録装置１１の全体の基台としても機能する。なお、図１では、記録装置１１についてシートの幅方向と交差する平面で切断した断面図で示している。
【００２０】
まず装置本体部１２について説明する。装置本体部１２は、複数の部材で構成されたケース体２１で構成され、長尺のシートＳＴを収容した媒体収容部１３、シートＳＴに記録を施す記録部１４、シートＳＴを装置本体部１２から媒体受け部１８へ向けて排出する媒体排出部としての排出部１５を備える。また、記録部１４と排出部１５との間には、排出されるシートＳＴを切断する切断手段１６を備える。
【００２１】
媒体収容部１３は、軸部３２を中心に回動するカバー部材３１によって開蓋および閉蓋される収容空間を有し、この収容空間にロール状に巻かれてロール体ＲＴとされた長尺のシートＳＴを収容する。なお、ロール体ＲＴを収容空間に収容する際には、カバー部材３１を図中実線で示した閉蓋状態から図中二点鎖線で示した状態に回転移動させて、収容空間を開蓋状態にさせる。
【００２２】
記録部１４は、ロール体ＲＴから巻き出されたシートＳＴに対してその被記録面ＳＰ側の方向（前方向）に位置し、不図示の駆動手段（モーターなど）によってシートＳＴの幅方向となる装置本体部１２の長手方向に往復移動するキャリッジ４１を備えている。キャリッジ４１には、シートＳＴと対向する位置に記録ヘッド４２が設けられている。また、記録装置１１は、シートＳＴを記録ヘッド４２とは反対側（後方側）から支持する支持台や、そのシートＳＴを搬送する搬送ローラー（いずれも不図示）を備え、ロール体ＲＴから巻き出されたシートＳＴを搬送方向下流側となる排出部１５側へ搬送する。この搬送において、シートＳＴの幅方向に往復移動するキャリッジ４１に設けられた記録ヘッド４２からシートＳＴの被記録面ＳＰにインクを噴射してシートＳＴに記録を施す。
【００２３】
排出部１５は、記録部１４から搬送されるシートＳＴを被記録面ＳＰとは反対側（後方側）の面に当接して支持する媒体支持面５１と、媒体支持面５１と搬送方向下流側で繋がる媒体支持面５２とが形成されている。媒体支持面５１，５２は、装置本体部１２の長手方向に沿う平面であってシートＳＴの幅寸法よりも広い幅を有し、その前方から見た左右両端には、前後上下の両方向に延設されたケース側壁２２（図１では左側のみ図示）が装置本体部１２のケース体２１の一部材として配設されている。従って、媒体支持面５１，５２の前方は、ケース体２１で覆われない大気開放された開放空間となっている。
【００２４】
媒体支持面５１，５２は、水平から所定の傾斜角で傾いた前方下がりの傾斜面になっている。本実施形態では媒体支持面５２は媒体支持面５１よりも水平方向に近い傾斜角を有する傾斜面とされている。ちなみに、本実施形態では媒体支持面５２は水平から凡そ５度の傾斜角を有する傾斜面である。シートＳＴは、この媒体支持面５１に支持されたのち媒体支持面５２へ搬送されて移動し、媒体支持面５２において排出方向側端部となる傾斜方向の下端５２ａから、装置本体部１２の下方（重力方向側）に位置する媒体受け部１８に向けて排出される。なお、シートＳＴが搬送される際に、シートＳＴが媒体支持面５１から媒体支持面５２へ引っ掛からず円滑に移動するように、媒体支持面５１と媒体支持面５２との繋ぎ目において、媒体支持面５１における傾斜方向の下端の方が媒体支持面５２における傾斜方向の上端よりも前側に位置するように形成されている。
【００２５】
装置本体部１２では、媒体収容部１３が装置本体部１２の上方後側に配設され、排出部１５が装置本体部１２の下方前側に配設されている。そして、ロール体ＲＴから巻きだされたシートＳＴは、記録部１４に設けられた搬送ローラーを含め、装置本体部１２内に形成された不図示の搬送手段によって、斜め上方後側から斜め下方前側に移動して排出部１５に搬送される。この斜め方向に搬送されるシートＳＴの被記録面ＳＰに記録部１４において記録が施されたのち、搬送されて排出部１５から排出されたシートＳＴは、その排出途中において切断手段１６によって所定の長さに切断され、カットシートＣＳとなって排出部１５から媒体受け部１８に向けて排出される。
【００２６】
切断手段１６は、不図示の駆動手段によって回転されるとともに、シートＳＴの幅方向に移動する回転カッター６１を備えている。この回転カッター６１が、シートＳＴの厚さ方向に切り込みを入れつつシートＳＴの幅方向に移動することによってシートＳＴを切断して、シートＳＴを所定長さのシートすなわちカットシートＣＳに切り分ける。
【００２７】
次に、図１および図２を参照して、媒体受け部１８についてその構成を説明する。なお、説明を判り易くするため、図２において、基台部８１は、媒体受け面８２，８３の構成に係る部材部分のみを簡略化して図示し、他の部材部分は省略している。
【００２８】
図１および図２に示すように、媒体受け部１８は装置本体部１２の下方に離れて設けられ、基台部８１と、シートＳＴ（カットシートＣＳ）の幅方向および鉛直方向の双方向と交差する前後方向（水平方向）の別位置に、受け面形成部材８２ｍと受け面形成部材８３ｍとを有している。各受け面形成部材８２ｍ，８３ｍは、基台部８１において、排出されるカットシートＣＳを受ける媒体受け面８２を装置本体部１２とは近い側（後側）に、カットシートＣＳを受ける媒体受け面８３を装置本体部１２とは遠い側（前側）にそれぞれ形成する。媒体受け面８２，８３を形成する受け面形成部材８２ｍ，８３ｍは、布などのシート材料で形成される。また、受け面形成部材８２ｍと受け面形成部材８３ｍとは、材料が繋がった一枚のシート材料で形成されている。もとより、受け面形成部材８２ｍと受け面形成部材８３ｍとは、繋がらない別体のシート材料で形成されていてもよい。
【００２９】
本実施形態では、受け面形成部材８２ｍは、その前後方向の両端縁において、それぞれ左右方向を長手方向とする中空の筒状に加工された筒部８５ｈと筒部８６ｈとを有し、受け面形成部材８３ｍは、その前後方向の両端縁において、それぞれ左右方向を長手方向とする中空の筒状に加工された筒部８７ｈと筒部８５ｈとを有している。一方、基台部８１には、筒部８５ｈの中空部分に貫通する棒状部材８５と、筒部８６ｈの中空部分に貫通する貫通部位８６ａを中央部分に有する屈曲したアーム状の固定部材８６と、筒部８７ｈの中空部分に貫通する貫通部位８７ａを中央部分に有する屈曲したアーム状の固定部材８７と、が固定されている。基台部８１における左右方向の両端部には鉛直方向の反重力方向側（上方）に向けて一対の支柱部材８１ｂが立設されており、この両支柱部材８１ｂの上部間に棒状部材８５は架設されている。固定部材８６は、ワイヤー部材が折り曲げられて形成された貫通部位８６ａが、棒状部材８５よりも装置本体部１２側となる後方側であって左右方向に沿った直線をなすように取り付けられている。固定部材８７は、ワイヤー部材が折り曲げられて形成された貫通部位８７ａが、棒状部材８５よりも装置本体部１２側から離れる前方側であって左右方向に沿った直線をなすように取り付けられている。
【００３０】
そして、受け面形成部材８２ｍは、その両端縁となる筒部８６ｈと筒部８５ｈとがそれぞれ離れる方向に張力が加えられ、全体が張られた状態になっている。また、棒状部材８５は固定部材８６の貫通部位８６ａよりも上方に位置するように配設されている。この結果、媒体受け面８２は水平から後方下がりのほぼ平坦な傾斜面とされ、水平から前方下がりの傾斜面である装置本体部１２における排出部１５の媒体支持面５２とは、逆の方向に傾斜する傾斜面とされている。
【００３１】
このように張られて平坦面とされている媒体受け面８２の途中には、シートＳＴが媒体受け面８２に沿って後方へ移動するのを規制する規制部８４が設けられている。規制部８４は、基台部８１を構成する固定部材８１ａに一方の端部８８ａが固定された規制部材８８によって形成される。本実施形態では、規制部材８８はワイヤー部材であり、端部８８ａとは反対側の端部が図２に示すように受け面形成部材８２ｍに設けられた長円状のスリット８２ｈを貫通して、規制部８４として機能する構成とされている。なお、図２では１つのみ図示しているが、固定部材８１ａには、シートＳＴの幅寸法内であって媒体受け面８２における左右方向に２つの規制部材８８が並ぶように取り付けられている。もとより、規制部材８８は、２つより多い数が固定部材８１ａに取り付けられてもよい。
【００３２】
一方、受け面形成部材８３ｍは、基台部８１に固定された固定部材８７の貫通部位８７ａによって、その前端縁となる筒部８７ｈが左右方向に沿った直線状に固定され、基台部８１の支柱部材８１ｂの上部に固定された棒状部材８５によって、その後端縁となる筒部８５ｈが左右方向に沿った直線状に固定される。そして、固定部材８７の貫通部位８７ａと棒状部材８５とは、受け面形成部材８３ｍが撓んだ状態になるように所定の間隔を有して配置されることによって、媒体受け面８３は上側が凹面の湾曲形状になっている。従って、媒体受け面８３は、棒状部材８５に対して媒体受け面８２が位置する側とは水平方向の別位置つまり反対側に設けられ、水平方向において媒体受け面８２から遠い側に、媒体受け面８２から離れるにつれて反重力方向側に上昇する傾斜面８３ａが形成される。
【００３３】
また、媒体受け部１８は、受け面形成部材８２ｍ，８３ｍによって形成された媒体受け面８２，８３によって、媒体支持面５２に沿って排出部１５から排出されたシートＳＴ（カットシートＣＳ）を、被記録面ＳＰを媒体受け面８２，８３と対向する下側（フェイスダウン）にしてスタックする。このため、媒体受け面８２，８３は、左右方向にける幅寸法がシートＳＴ（カットシートＣＳ）の幅寸法よりも大きく設定されている。
【００３４】
このように構成された記録装置１１において、媒体受け部１８は排出部１５から排出されるシートＳＴを受けてスタックする機能を有することから、排出部１５との間で被記録媒体排出装置１００を構成する。そして、被記録媒体排出装置１００においてシートＳＴは次のように排出される。すなわち、図１に示すように、排出部１５から排出されたシートＳＴは、その排出方向の先端縁ＳＦが媒体受け面８２に接触したのち、媒体支持面５２の下端５２ａの近傍から媒体受け面８２までの間に被記録面ＳＰ側が凸面となるように曲がった湾曲部ＲＳ１を形成する。この湾曲部ＲＳ１によって、その先端縁ＳＦが図中白抜き矢印Ｈ２で示すように媒体受け面８２に沿って移動して規制部８４に当接する。この当接の後、シートＳＴが排出部１５から被記録面ＳＰに施された記録範囲に応じた長さ排出された時点で切断され、排出方向に長さを有するカットシートＣＳに切り分けられる。
【００３５】
切り分けられたカットシートＣＳは、その先端縁ＳＦが媒体受け面８２における規制部８４と当接する一方、カットシートＣＳの後端縁ＳＥが媒体支持面５２に沿って移動する。そして、カットシートＣＳの後端縁ＳＥが装置本体部１２から排出部１５の開放空間に到達すると、後端縁ＳＥが媒体支持面５２に支持されない自由な状態になるため、カットシートＣＳの後端縁ＳＥ側部位は湾曲部ＲＳ１の曲げ戻りにより前方に移動させられる。この結果、図中太い二点鎖線で示したように、カットシートＣＳの後端縁ＳＥ側部位は、後端縁ＳＥが傾斜面８３ａに受けられるとともに、被記録面ＳＰを下側にした適切な状態で媒体受け面８３に排出される。
【００３６】
さて、本実施形態では、媒体受け部１８において、基台部８１の支柱部材８１ｂに固定された棒状部材８５よりも上方に、ガイド部としてのガイド部材８０が、同じく支柱部材８１ｂにその左右方向の両端が固定されて取り付けられている。ガイド部材８０は、左右方向を長手方向とし、前側、後側、および下側がそれぞれ平面であって上側が凸面の形状を有し、その上側の凸面は、媒体受け面８２の延長面よりも鉛直方向の反重力方向側（上方）に突出した突出面８０ａとなっている。すなわち、ガイド部材８０は、媒体受け面８２にカットシートＣＳを受けた場合に当該カットシートＣＳの先端縁ＳＦが位置する側とは反対側の媒体受け面８２の端部に、媒体受け面８２の延長面よりも鉛直方向の反重力方向側に突出するように設けられている。なお、本実施形態では、凸面は円筒形状の湾曲面とされている。
【００３７】
さらに、本実施形態では、媒体受け部１８において、規制部８４よりも媒体受け面８２に沿った棒状部材８５側つまり反重力方向側の位置に、シートＳＴの先端縁ＳＦ側部位を受ける媒体受け面８２の長さを変更する媒体受け面長さ変更手段としての変更手段１７が備えられている。
【００３８】
変更手段１７は、左右方向に軸線を有する回動軸７０を有し、結合部材１９においてその一部が前方に延設されて形成された延設部１９ａに回動軸７０の左右両端が回動自在に支持された回転部材７１と、この回転部材７１に取り付けられたワイヤー部材からなるフック形状部材７２とを有している。そして、図示しない操作手段の操作によって、回転部材７１が回動されることによって、フック形状部材７２が、図１において実線で示す位置と二点鎖線で示す位置との間で回動軸７０を中心に揺動する。
【００３９】
この回転部材７１の回転に伴って揺動するフック形状部材７２は、図１において実線で示す位置から二点鎖線で示す位置への揺動途中で、図２に示すように受け面形成部材８２ｍに設けられた長円状のスリット８２ｓに挿入され、規制部８４と同様にシートＳＴの先端縁ＳＦと当接してその移動を規制する。従って、変更手段１７は、フック形状部材７２を揺動させることで、媒体受け面８２においてシートＳＴの先端縁ＳＦ側部位を受ける受け面の長さを変更する。なお、回転部材７１には、シートＳＴの幅内であって媒体受け面８２における幅方向（左右方向）に並んで２つのフック形状部材７２が取り付けられている。もとより、フック形状部材７２は２つより多い数が回転部材７１に取り付けられてもよい。
【００４０】
さて、このような構成を有する被記録媒体排出装置１００は、ガイド部材８０によってカットシートＣＳを媒体受け部１８に適切に排出させるように作用する。さらに、記録装置１１においてカットシートＣＳの排出方向の長さが変化しても、変更手段１７によって媒体受け部１８に適切に排出させるように作用する。以下、図を参照してこれらの作用について説明する。なお、以下の説明に対する理解を容易にするため、まず図３（ａ），（ｂ）を参照してガイド部材８０が設けられていない場合の作用を説明し、次に、図４（ａ），（ｂ）を参照してガイド部材８０が設けられている場合の作用について説明する。その後、図５および図６を参照して変更手段１７の作用を説明する。
【００４１】
図３（ａ）に示すように、ガイド部材８０が設けられていない場合、カットシートＣＳの後端縁ＳＥが排出部１５から排出されると、カットシートＣＳは、図中太い破線で示した状態（図１の状態））から、太い実線で示した状態に変位する。すなわち、カットシートＣＳの後端縁ＳＥ側部位は、媒体支持面５２に支持されないために図中白抜き矢印Ｈ３に示すように媒体支持面５２に沿う方向から重力方向側に排出方向が変化する。このため、湾曲部ＲＳ１はカットシートＣＳの後端縁ＳＥ側部位の排出によって潰され、曲率半径が小さい湾曲部ＲＳ２に変位するとともに、媒体受け面８２に沿ってそのまま前方に押し出される。その後、カットシートＣＳの後端縁ＳＥが排出部１５から離脱すると、図中二点鎖線で示すように、カットシートＣＳは、その後端縁ＳＥ側部位によって湾曲部ＲＳ２がさらに押し潰されて、前方に押し出された状態の湾曲部ＲＳ３や、重力方向に垂れ下がった状態の湾曲部ＲＳ４に変位する。このため、後端縁ＳＥは媒体受け面８２においてカットシートＣＳの先端縁ＳＦ側部位と重なって排出される。この結果、カットシートＣＳは、媒体受け面８２において重なった不適切な姿勢で排出される。
【００４２】
あるいは、図３（ｂ）に示すように、カットシートＣＳの後端縁ＳＥ側部位に対して排出時に媒体支持面５２に沿う方向に力Ｆ１が加わる場合は、カットシートＣＳの後端縁ＳＥ側部位が排出部１５から勢いよく排出される。すると、カットシートＣＳは、図中太い破線で示した状態（図１の状態）から太い実線で示した状態へ変位する。すなわち、カットシートＣＳの後端縁ＳＥ側部位は、その後端縁ＳＥが傾斜面８３ａに受けられて移動が停止させられた状態で媒体受け面８３に受けられる。このとき、媒体受け面８３に受けられた後端縁ＳＥ側部位は、媒体受け面８３上に当接したときの反動によって、移動が停止された後端縁ＳＥを支点にして媒体受け面８３から離れるように回転させられる。この後端縁ＳＥ側部位の回転に伴って、先端縁ＳＦ側部位は前方引き寄せられ、図中白抜き矢印Ｈ４に示すように媒体支持面５２に沿って前方に移動させられた姿勢状態で留まる。この結果、カットシートＣＳは、図中二点鎖線で示す適切な姿勢でなく、媒体受け面８２の前方に湾曲部ＲＳ５が形成された不適切な姿勢で媒体受け部１８に排出されることになる。
【００４３】
そこで、本実施形態では、ガイド部材８０を設けることによって、被記録媒体排出装置１００において、カットシートＣＳが適切な姿勢で排出されるようにする。すなわち、図４（ａ）に示すように、ガイド部材８０が設けられている場合は、カットシートＣＳの後端縁ＳＥが排出部１５から排出されると、カットシートＣＳは図中太い破線で示した状態（図１の状態）から太い実線で示した形状に変位する。すなわち、カットシートＣＳの後端縁ＳＥ側部位は、図３（ａ）において説明したように湾曲部ＲＳ１を潰そうと作用するが、ガイド部材８０（突出面８０ａ）が湾曲部ＲＳ１における被記録面ＳＰに当接して、湾曲部ＲＳ１の潰しを抑制するように力Ｆ２を作用させる。この結果、湾曲部ＲＳ１は媒体受け面８２に沿って前方に押し出されることなく、ガイド部材８０との当接部分つまり突出面８０ａの円筒形状に沿って逆方向に湾曲させられるため、後端縁ＳＥ側を前方に回転させるように変位して、曲率半径の大きな湾曲部ＲＳ１ａになる。
【００４４】
従って、その後、カットシートＣＳの後端縁ＳＥが排出部１５から離脱すると、図中二点鎖線で示すように、カットシートＣＳの後端縁ＳＥ側部位は、曲率半径が大きくなるように変位する湾曲部ＲＳ１ａによって前方に移動させられて、媒体受け面８３に向けて排出される。この結果、カットシートＣＳの後端縁ＳＥ側部位は、図中二点鎖線で示すように媒体受け面８３に適切な姿勢で排出される。
【００４５】
あるいは、図４（ｂ）に示すように、カットシートＣＳの後端縁ＳＥ側部位に対して排出時に媒体支持面５２に沿う方向に大きな力Ｆ１が作用する場合は、カットシートＣＳの後端縁ＳＥ側部位が排出部１５から勢いよく排出され、カットシートＣＳは、図１に示した状態（図中太い破線）から太い実線で示した状態へ変位する。すなわち、カットシートＣＳの先端縁ＳＦ側部位は、図３（ｂ）における説明と同様に、勢いよく前方に排出される後端縁ＳＥ側部位が媒体受け面８３上に当接したときの反動によって、媒体受け面８２に沿って前方に引き寄せられる。このとき、カットシートＣＳの先端縁ＳＦ側部位は、図中白抜き矢印Ｈ５に示すように、ガイド部材８０によってその移動方向が媒体受け面８２に沿う方向から鉛直方向の上方に立ち上がる方向へ変更させられる。このため、カットシートＣＳは、ガイド部材８０が設けられていない場合に形成される湾曲部ＲＳ５（図３（ｂ）参照）よりも鉛直方向の上方側に湾曲部ＲＳ６を形成した状態に変位する。
【００４６】
そして、先端縁ＳＦ側部位の反重力方向への移動が終了した後、湾曲部ＲＳ６は鉛直方向に立ち上がるように形成されているので、その位置に留まることなく今度は重力方向側へ移動することになる。従って、カットシートＣＳは、図中白抜き矢印Ｈ６に示すように、形成された湾曲部ＲＳ６がガイド部材８０に向かってその湾曲形状を小さくしつつ移動する。この結果、カットシートＣＳは、図中二点鎖線で示した適切な状態で媒体受け面８２，８３に排出される。
【００４７】
次に、排出されるカットシートＣＳの排出方向の長さが短くなった場合について、先に媒体受け面８２の受け面長さを変更する前の状態を、図５を参照して説明する。その後、媒体受け面８２の受け面長さを変更した状態を、図６を参照して説明する。
【００４８】
図５に示すように、排出されるカットシートＣＳの排出方向における長さが、例えばＡ０サイズからＡ１サイズへ変更されるなどのように短くなった場合、カットシートＣＳの先端縁ＳＦが規制部８４に当接した状態において後端縁ＳＥは媒体支持面５２に支持されない離脱した状態になる。すると、カットシートＣＳの後端縁ＳＥの排出方向は、媒体支持面５２に沿う方向から重力方向側に大きく向きを変える。このため、カットシートＣＳは、図中太い破線で示した状態から太い実線で示した状態へ変位する。すなわち、カットシートＣＳは、重力方向側に排出される後端縁ＳＥによって、その後端縁ＳＥ側部位が図中白抜き矢印Ｈ７に示すように移動し、ガイド部材８０の上方つまり反重力方向側に、湾曲部ＲＳ１ａより曲率半径の小さい湾曲部ＲＳ７を形成した状態に変位する。この結果、カットシートＣＳの後端縁ＳＥ側部位は、湾曲部ＲＳ７の曲げ戻りが弱いことから媒体受け面８３側に排出されない状態になる。
【００４９】
あるいは、図中二点鎖線で示すように、カットシートＣＳの後端縁ＳＥ側部位が湾曲部ＲＳ７の曲げ戻りによって媒体受け面８３側に排出された場合において、カットシートＣＳの後端縁ＳＥ側部位は、長さが短いために、媒体受け面８３の傾斜面８３ａまで到達しないで垂れ下がりの状態になる。このため、この垂れ下がりの状態にある後端縁ＳＥ側部位が容易に重力方向へ移動できるので、ここでは図示を省略するが、カットシートＣＳの先端縁ＳＦ側部位は、後端縁ＳＥ側部位の移動に伴って媒体受け面８２に沿って前方に引き寄せられることになる。この結果、カットシートＣＳの先端縁ＳＦ側部位は媒体受け面８２に適切に排出されない状態になりやすい。
【００５０】
そこで、記録装置１１では、図６に示すように、変更手段１７によって、媒体受け面８２の受け面長さを変更する。すなわち、変更手段１７における回転部材７１を右から見て時計方向に回転させ、フック形状部材７２を図中二点鎖線で示した状態から図中実線で示した状態に変位させる。この変位によって、フック形状部材７２は受け面形成部材８２ｍを上方から下方に貫通して配置されるとともに、媒体受け面８２上に位置する部材部分７２ａが媒体受け面８２に沿って重力方向側へ移動するカットシートＣＳの先端縁ＳＦと当接して移動を規制する。この結果、フック形状部材７２（部材部分７２ａ）は、媒体受け面の長さが短くなる。
【００５１】
本実施形態では、カットシートＣＳが、媒体受け面８２においてその先端縁ＳＦの移動が、規制部８４によって規制されたときの後端縁ＳＥ側部位の長さと、フック形状部材７２によって規制されたときの後端縁ＳＥ側部位の長さとが、同じ長さになるように、変更手段１７が配設されている。この結果、カットシートＣＳの後端縁ＳＥ側部位の排出時の移動態様は、図４（ａ）（ｂ）において説明した移動態様と等しくなる。従って、上記説明と同様に、カットシートＣＳは、ガイド部材８０によって適切に媒体受け面８２，８３に排出される。なお、再びカットシートＣＳの排出方向の長さが長くなった場合は、変更手段１７におけるフック形状部材７２を右から見て反時計方向に逆回転させ、先端縁ＳＦの重力方向側への規制を解除する。
【００５２】
上記説明した実施形態によれば、以下の効果を得ることができる。
（１）被記録面ＳＰを媒体受け面８２と対向する下側（フェイスダウン）にして排出する際に形成される湾曲部ＲＳ１における被記録面ＳＰにガイド部材８０（突出面８０ａ）が当接して、被記録媒体における後端縁ＳＥ側部位の排出に際して湾曲部ＲＳ１が潰れないように保持される。この保持されたカットシートＣＳの湾曲部ＲＳ１の曲がりが戻る変位動作によって後端縁ＳＥ側部位の排出方向が媒体受け面８２から離れる方向に移動する。そのため、カットシートＣＳは、その先端縁ＳＦ側部位が媒体受け面８２に被記録面ＳＰを対向させた状態で受けられる一方、その後端縁ＳＥ側部位が媒体受け面８２に排出されることが抑制される。従って、カットシートＣＳを、その後端縁ＳＥ側部位が先端縁ＳＦ側部位に重ならないようにして、媒体受け面８２上に適切に排出させることができる。
【００５３】
（２）排出されるカットシートＣＳの後端縁ＳＥ側部位が先端縁ＳＦ側部位を受けている媒体受け面８２から離れるように移動する際に先端縁ＳＦ側部位を媒体受け面８２側から媒体受け面８３側に引き込まないように、その移動の勢いを反重力方向側に上昇する傾斜面８３ａで抑制することができる。従って、カットシートＣＳを媒体受け面８２上に適切に排出させることができる。
【００５４】
（３）ガイド部材８０は、媒体受け面８２から鉛直方向における反重力方向に突出する突出面８０ａをカットシートＣＳの湾曲部ＲＳ１に当接させるので、カットシートＣＳの湾曲部ＲＳ１を潰すことなく突出面８０ａの円筒形状に沿って逆方向に湾曲させることができる。この結果、後端縁ＳＥ側部位の排出時において、カットシートＣＳのこの逆方向への湾曲を利用して後端縁ＳＥ側部位の排出方向を先端縁ＳＦ側部位と重ならないように媒体受け面８２から離れる方向に移動させることができる。
【００５５】
（４）排出されるカットシートＣＳの排出方向の長さが変化しても、媒体受け面８２から離れるように移動する後端縁ＳＥ側部位の排出方向に沿う長さを同じ長さにすることができる。従って、カットシートＣＳの湾曲部ＲＳ１の曲がりが戻る変位動作によって後端縁ＳＥ側部位の排出方向が媒体受け面８２から離れる方向に移動させる場合の移動態様を変らないようにすることができるので、排出されるカットシートＣＳの長さが変化しても、安定して後端縁ＳＥ側部位を媒体受け面８２から離れるように移動させることができる。
【００５６】
（５）カットシートＣＳの被記録面ＳＰに記録を施すとともに、被記録面ＳＰを媒体受け面８２と対向する下側（フェイスダウン）にしてカットシートＣＳを排出する際に、その後端縁ＳＥ側部位が先端縁ＳＦ側部位に重ならないようにして、媒体受け面８２上に適切に排出させる記録装置１１を提供することができる。
【００５７】
なお、上記実施形態において、以下のような別の実施形態に変更してもよい。
・上記実施形態において、変更手段１７は、フック形状部材７２の回転以外の構成で、媒体受け面８２の長さを変更することとしてもよい。本変形例について図７を参照して説明する。なお、図７において、上記実施形態と同じ構成部材については同符号を付し、その説明を省略する。
【００５８】
図７に示すように、本変形例の変更手段１７は、媒体受け面８２（受け面形成部材８３ｍ）に沿う方向に規制部８４がスライド移動する構成を有している。すなわち、基台部８１の固定部材８１ａにおいて、規制部材８８の一方の端部８８ａが固定されている部分を固定部材８１ａから分離した固定部材８１ｓとするとともに、この固定部材８１ｓが、図中二点鎖線で示すように媒体受け面８２に沿う方向にスライド移動する構成とされている。従って、固定部材８１ｓをスライド移動させることで、規制部８４をカットシートＣＳの長さに応じた位置に調節することができる。もとより、本変形例では、受け面形成部材８２ｍにおいて長円状のスリット８２ｈ（図２参照）は、媒体受け面８２の傾斜方向に沿う孔の長さがこの規制部８４の移動長さに応じた長さで設けられている。
【００５９】
・上記実施形態において、例えば、常に排出されるカットシートＣＳの長さが一定である場合など、媒体受け面８２の長さを変更する必要の無い場合は、変更手段１７は必ずしも備えなくてもよい。
【００６０】
・上記実施形態において、ガイド部材８０は、突出面８０ａを必ずしも鉛直方向の反重力方向に突出させなくてもよい。例えば鉛直方向から傾いた方向における反重力方向側としてもよい。また、突出面８０ａも、平面形状や三角形状など、必ずしも円筒形状の湾曲面（凸面）でなくてもよい。
【００６１】
・上記実施形態において、被記録媒体排出装置１００は必ずしも媒体受け面８３を備えなくてもよい。媒体受け部１８において、カットシートＣＳの先端縁ＳＦ側部位が媒体受け面８２に受けられ、後端縁ＳＥ側部位が先端縁ＳＦ側部位に重なることなくガイド部材８０の前方に垂れ下がる状態で排出される構成の場合は、媒体受け面８３は不要である。
【００６２】
・上記実施形態において、被記録媒体排出装置１００は必ずしも記録部１４を有する記録装置１１に備えられなくてもよい。例えば既に被記録面に記録が施されたシートを、被記録面を重力方向側にして受ける被記録媒体排出装置であれば、本発明を適用可能である。
【００６３】
・上記実施形態では、記録装置を、液体の一例としてのインクを噴射する液体噴射ヘッドを記録ヘッドとして有する記録装置１１に具体化したが、インク以外の他の液体を噴射したり吐出したりする液体噴射装置に具体化してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置がある。あるいは、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００６４】
１１…記録装置、１４…記録部、１５…媒体排出部としての排出部、１７…媒体受け面長さ変更手段としての変更手段、８０…ガイド部としてのガイド部材、８０ａ…突出面、８２…媒体受け面、８３…補助媒体受け面としての媒体受け面、８３ａ…傾斜面、８８ａ…端部、１００…被記録媒体排出装置、ＳＥ…後端縁、ＳＦ…先端縁、ＳＰ…被記録面、ＲＳ１，ＲＳ２，ＲＳ３，ＲＳ４，ＲＳ５，ＲＳ６，ＲＳ７，ＲＳ１ａ…湾曲部。
【図１】
0005866945.tif 000002
【図２】
0005866945.tif 000003
【図３】
0005866945.tif 000004
【図４】
0005866945.tif 000005
【図５】
0005866945.tif 000006
【図６】
0005866945.tif 000007
【図７】
0005866945.tif 000008